(57)【要約】【課題】予測した予測値に対して変更がされた場合であっても、予測値の変化前の状態及び変化後の状態を知ることができる表示方法、プログラム及び表示制御システムを提供する。【解決手段】表示方法は、情報端末３が有する表示部３１に情報を表示する方法である。表示方法は、第１予測値と、第１設定情報と、第２設定情報と、第２予測値と、を含む予測結果画面を表示部３１に表示させる表示ステップを含む。第１設定情報は、施設５における電力需要の予測に用いるパラメータに応じた情報である。第１予測値は、第１設定情報と過去の電力需要とを用いて得られた、所定期間における電力需要の値である。第２設定情報は、情報端末３の操作者によって設定された情報であってパラメータに対する第１設定情報とは異なる情報である。第２予測値は、第２設定情報に基づく所定期間における電力需要の値である。【選択図】図１
2020035110.tif 000002
【特許請求の範囲】
【請求項１】
情報端末が有する表示部に情報を表示する表示方法であって、
施設における電力需要の予測に用いるパラメータに応じた第１設定情報と過去の電力需要とを用いて得られた、所定期間における電力需要の第１予測値と、
前記第１設定情報と、
前記情報端末の操作者によって設定された情報であって前記パラメータに対する前記第１設定情報とは異なる第２設定情報と、
前記第２設定情報に基づく前記所定期間における電力需要の第２予測値と、を含む予測結果画面を前記表示部に表示させる表示ステップを含む、
表示方法。
【請求項２】
前記第１設定情報は、前記所定期間に含まれる複数の時間帯のそれぞれに対して設定されており、
前記第２設定情報は、前記操作者によって前記複数の時間帯のうち少なくとも１つの時間帯に対して設定された情報である、
請求項１に記載の表示方法。
【請求項３】
前記表示ステップは、電力需要がピークとなる前記パラメータについての条件を表す条件情報を、前記予測結果画面に含めて前記表示部に表示させる、
請求項１又は２に記載の表示方法。
【請求項４】
前記第１予測値と前記第２予測値とはグラフ形式で表示されており、
前記表示ステップは、前記第１予測値と前記第２予測値とを前記グラフ形式で表示する表示領域において、前記パラメータに対して予め設定されたデマンド目標値又は過去の電力需要におけるピーク電力値を、前記予測結果画面に含めて前記表示部に表示させる、
請求項１〜３のいずれか一項に記載の表示方法。
【請求項５】
前記表示ステップは、前記第２設定情報として設定される設定内容の範囲を、前記予測結果画面に含めて前記表示部に表示させる、
請求項１〜４のいずれか一項に記載の表示方法。
【請求項６】
前記第２設定情報として設定される設定内容の範囲は、前記パラメータに対する過去の実績によって、又は前記第１設定情報の設定内容によって定まる、
請求項５に記載の表示方法。
【請求項７】
前記第１設定情報は、前記第２設定情報として設定される設定内容の範囲内に表示されており、
前記表示ステップは、前記第２設定情報として設定される設定内容の範囲のうち、予め設定されたデマンド目標値又は過去の電力需要におけるピーク電力値に対して前記第２予測値が所定の割合となる設定内容の位置に当該割合を示す割合情報を、前記予測結果画面に含めて前記表示部に表示させる、
請求項５又は６に記載の表示方法。
【請求項８】
前記パラメータは、複数存在し、
前記第１予測値は、前記複数のパラメータのうち前記操作者によって選択されたパラメータの前記第１設定情報に基づいており、
前記表示ステップは、前記複数のパラメータごとに第１設定情報を、前記表示部に表示させる、
請求項１〜７のいずれか一項に記載の表示方法。
【請求項９】
コンピュータに、
請求項１〜８のいずれか一項に記載の表示方法を、
実行させるためのプログラム。
【請求項１０】
情報端末が有する表示部に情報を表示する表示制御システムであって、
施設における電力需要の予測に用いるパラメータに応じた第１設定情報と過去の電力需要とを用いて、所定期間における電力需要の第１予測値を求める第１予測部と、
前記情報端末の操作者によって設定された情報であって前記パラメータに対する前記第１設定情報とは異なる第２設定情報を取得する取得部と、
前記第２設定情報に基づいて前記所定期間における電力需要の第２予測値を求める第２予測部と
前記第１予測値と、前記第２予測値と、前記第１設定情報と、前記第２設定情報とを含む予測結果画面を前記表示部に表示させる表示制御部とを備える、
表示制御システム。
【発明の詳細な説明】
【技術分野】
【０００１】
本開示は、一般に表示方法、プログラム及び表示制御システムに関し、より詳細には施設で使用された電力量に基づいて予測された電力需要の予測値を表示する表示方法、プログラム及び表示制御システムに関する。
【背景技術】
【０００２】
従来、電力需要量を予測し、その値を表示する技術が知られている（例えば、特許文献１参照）。
【０００３】
特許文献１では、エネルギー消費量予測サーバが、エネルギー消費量計測装置と環境情報収集装置とから受信した過去のエネルギー消費量情報を関連するデータベースを備え、環境情報収集装置から受信する情報とデータベース内の情報とから宅内のエネルギー消費量を予測し、エネルギー消費量予測サーバの予測結果を表示する。
【０００４】
さらに、特許文献１では、予測したエネルギー消費量に対して不快指数を利用して、予測したエネルギー消費量を補正し、補正後の結果を予測結果として表示する。
【先行技術文献】
【特許文献】
【０００５】
【特許文献１】特開２０１３−１０９５５０号公報
【発明の概要】
【発明が解決しようとする課題】
【０００６】
特許文献１では、予測したエネルギー消費量に対して不快指数を利用して、予測したエネルギー消費量を補正した場合、補正後の結果を予測結果として表示する。そのため、不快指数を利用して変更されたエネルギー消費量を、ユーザは知ることができるが、変更前のエネルギー消費量を知ることはできない。その結果、エネルギー消費量の変化前と変化後とにおいて、予測したエネルギー消費量がどのように変化したかを知ることができない。
【０００７】
本開示は上記課題に鑑みてなされ、予測した予測値に対して変更がされた場合であっても、予測値の変化前の状態及び変化後の状態を知ることができる表示方法、プログラム及び表示制御システムを提供することを目的とする。
【課題を解決するための手段】
【０００８】
本開示の一態様に係る表示方法は、情報端末が有する表示部に情報を表示する方法である。前記表示方法は、第１予測値と、第１設定情報と、第２設定情報と、第２予測値と、を含む予測結果画面を前記表示部に表示させる表示ステップを含む。前記第１設定情報は、施設における電力需要の予測に用いるパラメータに応じた情報である。前記第１予測値は、前記第１設定情報と過去の電力需要とを用いて得られた、所定期間における電力需要の値である。前記第２設定情報は、前記情報端末の操作者によって設定された情報であって前記パラメータに対する前記第１設定情報とは異なる情報である。前記第２予測値は、前記第２設定情報に基づく前記所定期間における電力需要の値である。
【０００９】
本開示の一態様に係るプログラムは、コンピュータに、前記表示方法を、実行させるためのプログラムである。
【００１０】
本開示の一態様に係る表示制御システムは、情報端末が有する表示部に情報を表示する。前記表示制御システムは、第１予測部と、取得部と、第２予測部と、表示制御部とを備える。前記第１予測部は、施設における電力需要の予測に用いるパラメータに応じた第１設定情報と過去の電力需要とを用いて、所定期間における電力需要の第１予測値を求める。前記取得部は、前記情報端末の操作者によって設定された情報であって前記パラメータに対する前記第１設定情報とは異なる第２設定情報を取得する。前記第２予測部は、前記第２設定情報に基づいて所定期間における電力需要の第２予測値を求める。前記表示制御部は、前記第１予測値と、前記第２予測値と、前記第１設定情報と、前記第２設定情報とを含む予測結果画面を前記表示部に表示させる。
【発明の効果】
【００１１】
本開示によると、予測した予測値に対して変更がされた場合であっても、予測値の変化前の状態及び変化後の状態を知ることができる。
【図面の簡単な説明】
【００１２】
【図１】図１は、本開示の一実施形態に係る表示制御システムの構成を示す図である。
【図２】図２は、同上の表示制御システムを含むシステムの構成図である。
【図３】図３は、同上の表示制御システムが表示する予測結果画面の一例を示す図である。
【図４】図４は、変形例１に係る表示制御システムの構成を示す図である。
【図５】図５は、同上の表示制御システムが表示する予測結果画面の一例を示す図である。
【図６】図６は、変形例２に係る表示制御システムが表示する予測結果画面の一部を示す図である。
【図７】図７は、変形例３に係る表示制御システムが表示する予測結果画面の一部を示す図である。
【発明を実施するための形態】
【００１３】
以下に説明する各実施形態及び変形例は、本開示の一例に過ぎず、本開示は、各実施形態及び変形例に限定されない。これらの実施形態及び変形例以外であっても、本開示に係る技術的思想を逸脱しない範囲であれば、設計等に応じて種々の変更が可能である。
【００１４】
（実施形態）
以下、本実施形態に係る表示制御システム１０について、図１〜図３を用いて説明する。
【００１５】
（１）概要
本実施形態では、施設で計測された電力を基に、所定期間における電力需要を予測（算出）し、予測結果を表示部を有する情報端末に表示させる機能を、基本的な機能として有する表示制御システム１０、及び管理システム１０００について説明する。
【００１６】
本実施形態において、管理システム１０００は、図２に示すように、表示制御システム１０としてのサーバ装置１と、計測システム２０とを含む。
【００１７】
本実施形態においては、コンピュータシステムが備える表示制御システム１０は、図１、図２に示すように、施設５が受電した電力量を基に、情報端末３に表示するコンテンツを作成するサーバ装置１にて構成される。ここでいう「施設」は、電力の供給を受けるビル等の施設を意味しており、電力会社等の電気事業者から電力の供給を受ける施設だけでなく、太陽光発電設備等の発電設備から電力の供給を受ける施設も含む。
【００１８】
施設５に設けられた計測システム２０は、施設５における電力の使用データ（使用電力量）を取得する。具体的には、計測システム２０は、施設５における複数の分岐回路について、使用電力量を使用データとして取得する。施設５における複数の分岐回路の各々には負荷機器５０が接続されている。負荷機器５０は、例えば施設５に設けられた機器であり、電力を使用する電気機器である。負荷機器５０は、例えば照明器具５０ａ〜５０ｃ、空調機器５０ｄ〜５０ｆ等である。
【００１９】
蓄積サーバ２は、計測システム２０にネットワーク４を介して接続される。蓄積サーバ２は、計測システム２０が計測した複数の分岐回路に対する計測値を分岐回路ごとに時系列に記憶している。
【００２０】
サーバ装置１は、図２に示すように、施設５に設けられた蓄積サーバ２にネットワーク４を介して接続される。また、サーバ装置１は、図２に示すように、表示部３１を備える情報端末３にネットワーク４を介して接続される。
【００２１】
情報端末３は、表示制御システム１０（サーバ装置１）で出力された情報（コンテンツ）を表示部３１に表示する。これにより、情報端末３は、表示制御システム１０で作成された情報（コンテンツ）を、情報端末３の操作者に対して提示することが可能となる。ここで、操作者は、例えば、施設５の管理者である。
【００２２】
（２）構成
次に、本実施形態に係る表示制御システム１０、計測システム２０、蓄積サーバ２及び情報端末３の構成について説明する。
【００２３】
（２．１）計測システム
まず、本実施形態の計測システム２０の構成について説明する。
【００２４】
計測システム２０は、図２に示すように、複数のコントローラ２１と、電流センサ２２〜２８とを備えている。また、施設５には、系統電源９に電気的に接続される受変電設備６１（キュービクル）が設けられている。なお、複数のコントローラ２１を個別に表す必要がある場合には、コントローラ２１ａ〜２１ｃと記載する。
【００２５】
複数のコントローラ２１は、少なくとも１つの電流センサに電気的に接続されている。具体的には、コントローラ２１ａは、電流センサ２２に電気的に接続されている。コントローラ２１ｂは、電流センサ２３〜２５に電気的に接続されている。コントローラ２１ｃは、電流センサ２６〜２８に電気的に接続されている。電流センサ２２は、受変電設備６１の一次側に設けられ、幹線を流れる電流の値を計測する。電流センサ２３〜２９は、複数の分岐ブレーカ６２に対応して設けられ、複数の分岐回路に流れる電流の値をそれぞれ計測する。ここでいう「分岐回路」は、受変電設備６１及び複数の分岐ブレーカ６２にて幹線から分岐された各回路を意味する。分岐回路には、分岐ブレーカ６２に接続される配線、照明器具や調理家電等の負荷機器５０、コンセント（アウトレット）、壁スイッチ等を含んでいる。なお、複数の分岐ブレーカ６２を個別に表す必要がある場合には、分岐ブレーカ６２ａ〜６２ｆと記載する。例えば、分岐ブレーカ６２ｃで分岐された分岐回路は、分岐ブレーカ６２ｃと照明器具５０ａ，５０ｂとを含む回路である。また、受変電設備６１で分岐された分岐回路は、受変電設備６１と分岐ブレーカ６２ａ，６２ｂの各々で分岐された分岐回路とを含む回路である。
【００２６】
複数のコントローラ２１の各々は、電気的に接続された１つ以上の電流センサの出力を用いて、複数の負荷機器５０及び受変電設備６１の各々について、使用電力と使用電力量（電力量）との少なくとも一方を計測する。複数のコントローラ２１の各々は、計測された計測値を、施設５に設けられたルータ７を介して蓄積サーバ２へ送信する。例えば、コントローラ２１ａは、受変電設備６１で分岐される分岐回路で使用される電力量を計測する。コントローラ２１ｂは、複数の負荷機器５０（照明器具５０ａ〜５０ｃ）の各々で使用される電力量の値を、負荷機器５０ごとに計測する。コントローラ２１ｃは、複数の負荷機器５０（空調機器５０ｄ〜５０ｆ）の各々で使用される電力量の値を、負荷機器５０ごとに計測する。
【００２７】
上述したように、計測システム２０の計測値は、複数のコントローラ２１で計測される使用電力と使用電力量との少なくとも一方を含んでいる。つまり、計測値は、瞬時電力を表す使用電力であってもよいし、あるいは一定時間における電力の使用量（消費量）を表す使用電力量であってもよい。また、計測値は、使用電力と使用電力量との両方であってもよい。本実施形態では一例として、計測値は、使用電力を一定時間（例えば正時から３０分間隔）で積算した使用電力量である。
【００２８】
コントローラ２１は、計測対象である設備（受変電設備６１又は負荷機器５０）の計測値と、計測対象である受変電設備６１又は負荷機器５０を識別する回路ＩＤとを対応付けて、ルータ７を介して蓄積サーバ２に送信する。回路ＩＤとは、コントローラによって電力量の計測が可能な回路に割り当てられた識別子である。
【００２９】
（２．２）蓄積サーバ
蓄積サーバ２は、計測システム２０が計測した計測値（例えば使用電力量）を記憶する。つまり、蓄積サーバ２は、ＲＯＭ（Read Only Memory）、ＲＡＭ（Random Access Memory）、またはＥＥＰＲＯＭ（Electrically Erasable Programmable Read Only Memory）等から選択されるデバイスを有している。このデバイスに、計測システム２０が計測した計測値が時系列に記憶される。
【００３０】
蓄積サーバ２は、回路ＩＤごとに、つまり計測対象の設備ごとに、計測された計測値を時系列に記憶する。例えば、蓄積サーバ２は、計測システム２０が計測した計測値と、計測日時とを対応付けて、記憶する。
【００３１】
蓄積サーバ２は、計測対象である複数の設備（受変電設備６１及び複数の負荷機器５０）の名称と、複数の回路ＩＤとを一対一に対応付けて記憶している。
【００３２】
（２．３）表示制御システム
次に、本実施形態の表示制御システム１０の構成について説明する。
【００３３】
表示制御システム１０は、上述したように、本実施形態ではサーバ装置１にて構成されている。サーバ装置１は、情報端末３及び蓄積サーバ２にネットワーク４を介して接続される。
【００３４】
サーバ装置１は、図１に示すように、処理部１１と、通信部１２と、記憶部１３とを備える。サーバ装置１は、ＣＰＵ（Central Processing Unit）及びメモリを有している。ＣＰＵがメモリに格納されているプログラムを実行することにより、処理部１１の機能を実現する。プログラムは、ここではインターネット等の電気通信回線を通じて、あるいはメモリカード等の記録媒体に記録されて提供されるが、コンピュータのメモリに予め記録されていてもよい。
【００３５】
通信部１２は、ネットワーク４に接続されることで、サーバ装置１と情報端末３との間、及びサーバ装置１と蓄積サーバ２との間の通信を可能にする。
【００３６】
記憶部１３は、ＲＯＭ、ＲＡＭ、又はＥＥＰＲＯＭ等から選択されるデバイスで構成される。記憶部１３は、電気事業者との間で予め定められた契約電力量又は契約電力量に基づき設定される最大電力量の管理目標値であるデマンド目標値を予め記憶している。
【００３７】
記憶部１３は、サーバ装置１が蓄積サーバ２から取得した計測値と、当該計測値の計測日時とを対応付けて記憶する。ここで、記憶部１３が記憶する計測値は、計測システム２０が受変電設備６１に対して計測した値である。
【００３８】
記憶部１３は計測日時に対応する計測値に、電力需要の予測に用いる特定種別を対応付けて記憶する。ここで、特定種別とは、平均気温、合計日射量、施設５内に居る人の数（利用者数）等、値が変化する情報である。または、特定種別とは、施設５の利用の可否（休日に該当するか否か）を表す情報であってもよい。また、施設５がショッピングモール、アミューズメントパーク等、利用者にサービスを提供する施設である場合には、特定種別としてイベントの有無を表す情報であってもよい。要するに、特定種別は、値又は内容が変化するパラメータに相当する。本実施形態では、平均気温、合計日射量、利用者数、休日に該当するか否か及びイベントの有無のそれぞれを特定種別とする。
【００３９】
ここでは、記憶部１３は、受変電設備６１に対する計測値と、計測日時と、当該計測日時における平均気温、合計日射量、利用者数、休日に該当するか否かの情報及びイベントの有無の情報とを対応付けて記憶する。
【００４０】
例えば、サーバ装置１は、計測日時における気温及び合計日射量を、外部の装置（例えば天気サーバ装置）から取得する。記憶部１３は、取得した気温及び合計日射量を、当該計測日時において計測された計測値に対応付けて記憶する。また、サーバ装置１は、施設５を管理する装置から計測日時における利用者数、計測日が休日に該当するか否か及び計測日におけるイベントの有無を取得する。記憶部１３は、取得した利用者数、休日に該当するか否か及びイベントの有無を、当該計測日時において計測された計測値に対応付けて記憶する。
【００４１】
記憶部１３は、処理部１１が行う電力需要の予測値の算出に用いる情報を記憶する。また、記憶部１３は、平均気温、合計日射量及び利用者数のそれぞれに対するデフォルト値を記憶している。例えば、デフォルト値は、平均気温、合計日射量及び利用者数のそれぞれについて、外部の装置（ここでは、図示せず）から定期的に取得する。例えば、平均気温及び合計日射量のそれぞれについては、気象（天気）に係る情報を管理するサーバから平均気温及び合計日射量のそれぞれの予報値を定期的に取得し、取得した平均気温及び合計日射量のそれぞれの予報値をデフォルト値として記憶する。利用者数については、施設５に対して人の出入りを管理するサーバから予想される利用者の数（利用者予想値）を定期的に取得し、取得した利用者予想値をデフォルト値として記憶する。なお、記憶部１３は、デフォルト値を記憶する場合、過去のデフォルト値が存在するときには当該過去のデフォルト値を最新のデフォルト値（今回取得したデフォルト値）に更新する。
【００４２】
さらに、記憶部１３は、休日に該当するか否かの情報のデフォルト情報として休日に該当しない旨の情報を、イベントの有無の情報に対するデフォルト情報としてイベントが有ることを表す旨の情報を記憶している。本実施形態におけるデフォルト値及びデフォルト情報が、本開示の第１設定情報に相当する。以下の説明において、デフォルト値及びデフォルト情報を総称して第１設定情報という場合がある。
【００４３】
処理部１１は、図１に示すように、モデル生成部１００、第１予測部１０１、取得部１０２、第２予測部１０３及び表示制御部１０４を有している。
【００４４】
モデル生成部１００は、電力需要の予測に用いる特定種別と電力需要との関係を表す学習モデルを生成する。モデル生成部１００は、特定種別の各々について、所定の時間帯ごとに学習モデルを生成する。所定の時間帯とは、計測システム２０が計測を行う時間単位（例えば正時から３０分間隔の時間帯）である。
【００４５】
例えば、モデル生成部１００は、特定種別が平均気温である場合には、平均気温と電力需要との関係を、所定の時間帯ごとに求めて、求めた関係を学習モデルとして、特定種別及び時間帯とに対応付けて記憶部１３に記憶する。具体的には、モデル生成部１００は、平均気温と電力需要との関係を求める時間帯での、計測値及び当該計測値に対応する平均気温のすべての組を記憶部１３から取得する。モデル生成部１００は、取得した計測値及び当該計測値に対応する平均気温のすべての組を用いて、例えば学習モデルとして、横軸を気温、縦軸を電力需要（計測値）とするグラフを表す関係式を求める。モデル生成部１００は、求めた学習モデルを、特定種別及び時間帯に対応付けて記憶部１３に記憶する。なお、本実施形態では、モデル生成部１００は、平均気温と電力需要との関係を求める時間帯での、計測値及び当該計測値に対応する平均気温のすべての組を記憶部１３から取得する構成とした。しかしながら、この構成に限定されない。モデル生成部１００は、計測値及び当該計測値に対応する平均気温のすべての組のうち一部の組を記憶部１３から取得してもよい。
【００４６】
また、モデル生成部１００は、特定種別が合計日射量である場合には、合計日射量と電力需要との関係を、所定の時間帯ごとに求めて、求めた関係を学習モデルとして、特定種別及び時間帯とに対応付けて記憶部１３に記憶する。具体的には、モデル生成部１００は、合計日射量と電力需要との関係を求める時間帯での、計測値及び当該計測値に対応する合計日射量のすべての組を記憶部１３から取得する。モデル生成部１００は、取得した計測値及び当該計測値に対応する合計日射量のすべての組を用いて、学習モデルとして、例えば横軸を合計日射量、縦軸を電力需要（計測値）とするグラフを表す関係式を求める。モデル生成部１００は、求めた学習モデルを、特定種別及び時間帯に対応付けて記憶部１３に記憶する。なお、本実施形態では、モデル生成部１００は、合計日射量と電力需要との関係を求める時間帯での、計測値及び当該計測値に対応する合計日射量のすべての組を記憶部１３から取得する構成とした。しかしながら、この構成に限定されない。モデル生成部１００は、計測値及び当該計測値に対応する合計日射量のすべての組のうち一部の組を記憶部１３から取得してもよい。
【００４７】
また、モデル生成部１００は、特定種別が利用者数である場合には、利用者数と電力需要との関係を、所定の時間帯ごとに求めて、求めた関係を学習モデルとして、特定種別及び時間帯とに対応付けて記憶部１３に記憶する。具体的には、モデル生成部１００は、利用者数と電力需要との関係を求める時間帯での、計測値及び当該計測値に対応する利用者数のすべての組を記憶部１３から取得する。モデル生成部１００は、取得した計測値及び当該計測値に対応する合計日射量のすべての組を用いて、例えば学習モデルとして、横軸を利用者数、縦軸を電力需要（計測値）とするグラフを表す関係式を求める。モデル生成部１００は、求めた学習モデルを、特定種別及び時間帯に対応付けて記憶部１３に記憶する。なお、本実施形態では、モデル生成部１００は、合計日射量と電力需要との関係を求める時間帯での、計測値及び当該計測値に対応する利用者数のすべての組を記憶部１３から取得する構成とした。しかしながら、この構成に限定されない。モデル生成部１００は、計測値及び当該計測値に対応する利用者数のすべての組のうち一部の組を記憶部１３から取得してもよい。
【００４８】
また、モデル生成部１００は、特定種別が休日に該当するか否かの情報である場合には、休日と電力需要との関係を、所定の時間帯ごとに求めて、求めた関係を学習モデルとして、特定種別及び時間帯とに対応付けて記憶部１３に記憶する。さらに、モデル生成部１００は、平日（休日ではない日）と電力需要との関係を、所定の時間帯ごとに求めて、求めた関係を学習モデルとして、特定種別及び時間帯とに対応付けて記憶部１３に記憶する。
【００４９】
また、モデル生成部１００は、特定種別がイベントの有無の情報である場合には、イベントがある日と電力需要との関係を、所定の時間帯ごとに求めて、求めた関係を学習モデルとして、特定種別及び時間帯とに対応付けて記憶部１３に記憶する。さらに、モデル生成部１００は、イベントがない日と電力需要との関係を、所定の時間帯ごとに求めて、求めた関係を学習モデルとして、特定種別及び時間帯とに対応付けて記憶部１３に記憶する。
【００５０】
モデル生成部１００は、学習モデルの生成に係る処理を定期的に行い、特定種別のそれぞれに対する所定の時間帯ごとの学習モデルを生成し、記憶部１３で記憶する学習モデルの更新を行う。
【００５１】
第１予測部１０１は、施設５における電力需要の予測に用いる特定種別に応じた第１設定情報としてのデフォルト値（デフォルト情報）と過去の電力需要（計測値）とを用いて、第１設定情報に基づく所定期間における電力需要の予測値を第１予測値として求める。具体的には、第１予測部１０１は、複数の特定種別のうち情報端末３の操作者が選択した特定種別について、当該特定種別の第１設定情報（デフォルト値又はデフォルト情報）に対する所定期間での電力需要の第１予測値を、所定の時間帯ごとに算出する。第１予測部１０１は、所定期間に属する所定の時間帯ごとに算出した電力需要の第１予測値を、表示制御部１０４に出力する。本実施形態において、所定期間とは、１つの特定種別が選択されてから２４時間を経過するまでの間の期間、又は情報端末３の操作者が指定する期間である。
【００５２】
例えば、情報端末３の操作者によって選択された特定種別が平均気温である場合は、第１予測部１０１は、平均気温のデフォルト値を第１設定情報として記憶部１３から取得する。第１予測部１０１は、所定期間に属する所定の時間帯ごとに、平均気温と電力需要の関係を表し、かつ当該時間帯に対応する学習モデルを用いて第１設定情報（平均気温のデフォルト値）を入力値とし、出力値としての電力需要の第１予測値を算出する。
【００５３】
情報端末３の操作者によって選択された特定種別が合計日射量である場合は、第１予測部１０１は、合計日射量のデフォルト値を第１設定情報として記憶部１３から取得する。第１予測部１０１は、所定期間に属する所定の時間帯ごとに、合計日射量と電力需要の関係を表し、かつ当該時間帯に対応する学習モデルを用いて第１設定情報（合計日射量のデフォルト値）を入力値とし、出力値としての電力需要の第１予測値を算出する。
【００５４】
情報端末３の操作者によって選択された特定種別が利用者数である場合は、第１予測部１０１は、利用者数のデフォルト値を第１設定情報として記憶部１３から取得する。第１予測部１０１は、所定期間に属する所定の時間帯ごとに、利用者数と電力需要の関係を表し、かつ当該時間帯に対応する学習モデルを用いて第１設定情報（利用者数のデフォルト値）を入力値とし、出力値としての電力需要の第１予測値を算出する。
【００５５】
情報端末３の操作者によって選択された特定種別が休日に該当するか否かの情報である場合は、第１予測部１０１は、休日に該当するか否かの情報のデフォルト情報（第１デフォルト情報）を第１設定情報として記憶部１３から取得する。第１予測部１０１は、所定期間に属する所定の時間帯ごとに、第１デフォルト情報と電力需要の関係を表し、かつ当該時間帯に対応する学習モデルを用いて第１設定情報（第１デフォルト情報）を入力の情報とし、出力値としての電力需要の第１予測値を算出する。
【００５６】
情報端末３の操作者によって選択された特定種別がイベントの有無の情報である場合は、第１予測部１０１は、イベントの有無の情報のデフォルト情報（第２デフォルト情報）を第１設定情報として記憶部１３から取得する。第１予測部１０１は、所定期間に属する所定の時間帯ごとに、第２デフォルト情報と電力需要の関係を表し、かつ当該時間帯に対応する学習モデルを用いて第１設定情報（第２デフォルト情報）を入力値とし、出力値としての電力需要の第１予測値を算出する。
【００５７】
取得部１０２は、情報端末３の操作者によって入力された情報を通信部１２を介して取得する。具体的には、取得部１０２は、特定種別に対する情報であって第１設定情報とは異なる第２設定情報を取得する。取得部１０２は、取得した第２設定情報を第２予測部１０３に出力する。
【００５８】
例えば、情報端末３の操作者によって選択された特定種別が平均気温である場合は、取得部１０２は、平均気温のデフォルト値とは異なる値を第２設定情報として情報端末３から取得する。情報端末３の操作者によって選択された特定種別が合計日射量である場合は、取得部１０２は、合計日射量のデフォルト値とは異なる値を第２設定情報として情報端末３から取得する。情報端末３の操作者によって選択された特定種別が利用者数である場合は、取得部１０２は、利用者数のデフォルト値とは異なる値を第２設定情報として情報端末３から取得する。情報端末３の操作者によって選択された特定種別が休日に該当するか否かの情報である場合は、取得部１０２は、休日に該当するか否かの情報のデフォルト情報とは異なる情報、つまり休日に該当する旨の情報を第２設定情報として情報端末３から取得する。情報端末３の操作者によって選択された特定種別がイベントの有無の情報である場合は、取得部１０２は、イベントの有無の情報のデフォルト情報とは異なる情報、つまりイベントが無い旨の情報を第２設定情報として情報端末３から取得する。
【００５９】
第２予測部１０３は、取得部１０２が取得した第２設定情報に基づいて、所定期間における電力需要の予測値を第２予測値として求める。具体的には、第２予測部１０３は、操作者によって選択された特定種別に対する情報であって取得部１０２が取得した第２設定情報に対する所定期間での電力需要の第２予測値を、所定の時間帯ごとに算出する。第２予測部１０３は、所定期間に属する所定の時間帯ごとに算出した電力需要の第２予測値を、表示制御部１０４に出力する。
【００６０】
例えば、情報端末３の操作者によって選択された特定種別が平均気温である場合は、第２予測部１０３は、所定期間に属する所定の時間帯ごとに、平均気温に基づく電力需要の第２予測値を算出する。具体的には、第２予測部１０３は、平均気温と電力需要の関係を表し、かつ当該時間帯に対応する学習モデルを用いて第２設定情報（取得部１０２が取得した平均気温の値）を入力値とし、出力値としての第２予測値を所定の時間帯ごとに算出する。
【００６１】
情報端末３の操作者によって選択された特定種別が合計日射量である場合は、第２予測部１０３は、所定期間に属する所定の時間帯ごとに、合計日射量に基づく電力需要の第２予測値を算出する。具体的には、第２予測部１０３は、合計日射量と電力需要の関係を表し、かつ当該時間帯に対応する学習モデルを用いて第２設定情報（取得部１０２が取得した合計日射量の値）を入力値とし、出力値としての第２予測値を、所定の時間帯ごとに算出する。
【００６２】
情報端末３の操作者によって選択された特定種別が利用者数である場合は、第２予測部１０３は、所定期間に属する所定の時間帯ごとに、利用者数に基づく電力需要の第２予測値を算出する。具体的には、第２予測部１０３は、利用者数と電力需要の関係を表し、かつ当該時間帯に対応する学習モデルを用いて第２設定情報（取得部１０２が取得した利用者数）を入力値とし、出力値としての第２予測値を、所定の時間帯ごとに算出する。
【００６３】
情報端末３の操作者によって選択された特定種別が休日に該当するか否かの情報である場合は、第２予測部１０３は、所定期間に属する所定の時間帯ごとに、当該情報に基づく電力需要の第２予測値を算出する。具体的には、第２予測部１０３は、休日と電力需要の関係を表し、かつ当該時間帯に対応する学習モデルを用いて第２設定情報（取得部１０２が取得した休日に該当する旨の情報）を入力の情報とし、出力値としての第２予測値を、所定の時間帯ごとに算出する。
【００６４】
情報端末３の操作者によって選択された特定種別がイベントの有無の情報である場合は、第２予測部１０３は、所定期間に属する所定の時間帯ごとに、当該情報に基づく電力需要の第２予測値を算出する。具体的には、第２予測部１０３は、イベントがない日と電力需要との関係を表し、かつ当該時間帯に対応する学習モデルを用いて第２設定情報（取得部１０２が取得したイベントがないことを表す旨の情報）を入力値とし、出力値としての第２予測値を、所定の時間帯ごとに算出する。
【００６５】
表示制御部１０４は、情報端末３からの要求に応じた画面（コンテンツ）を作成し、情報端末３の表示部３１に表示する。
【００６６】
表示制御部１０４は、情報端末３からの要求に応じて、予測結果画面Ｇ１０（図３参照）を生成し、表示部３１に表示させる。ここで、予測結果画面Ｇ１０は、第１設定情報に基づく所定期間における電力需要の第１予測値と、第１設定情報と、第２設定情報と、第２設定情報に基づく所定期間における電力需要の第２予測値と、を含む。
【００６７】
例えば、情報端末３の操作者によって選択された特定種別が平均気温である場合は、表示制御部１０４は、平均気温のデフォルト値に基づく所定の時間帯ごとの第１予測値、第１設定情報、第２設定情報及び第２設定情報に基づく所定の時間帯ごとの第２予測値を含む予測結果画面を生成する。この場合における第１設定情報は平均気温のデフォルト値であり、第２設定情報は取得部１０２が取得した平均気温の値である。
【００６８】
情報端末３の操作者によって選択された特定種別が合計日射量である場合は、表示制御部１０４は、合計日射量のデフォルト値に基づく所定の時間帯ごとの第１予測値、第１設定情報、第２設定情報及び第２設定情報に基づく所定の時間帯ごとの第２予測値を含む予測結果画面を生成する。この場合における第１設定情報は合計日射量のデフォルト値であり、第２設定情報は取得部１０２が取得した合計日射量の値である。
【００６９】
情報端末３の操作者によって選択された特定種別が利用者数である場合は、表示制御部１０４は、利用者数のデフォルト値に基づく所定の時間帯ごとの第１予測値、第１設定情報、第２設定情報及び第２設定情報に基づく所定の時間帯ごとの第２予測値を含む予測結果画面を生成する。この場合における第１設定情報は利用者数のデフォルト値であり、第２設定情報は取得部１０２が取得した利用者数の値である。
【００７０】
情報端末３の操作者によって選択された特定種別が休日に該当するか否かの情報である場合は、表示制御部１０４は、当該情報のデフォルト情報（第１デフォルト情報）に基づく所定の時間帯ごとの第１予測値、第１設定情報、第２設定情報及び第２設定情報に基づく所定の時間帯ごとの第２予測値を含む予測結果画面を生成する。この場合における第１設定情報は第１デフォルト値であり、第２設定情報は取得部１０２が取得した休日に該当する旨の情報である。
【００７１】
情報端末３の操作者によって選択された特定種別がイベントの有無の情報である場合は、表示制御部１０４は、当該情報のデフォルト情報（第２デフォルト情報）に基づく所定の時間帯ごとの第１予測値、第１設定情報、第２設定情報及び第２設定情報に基づく所定の時間帯ごとの第２予測値を含む予測結果画面を生成する。この場合における第１設定情報は第２デフォルト情報であり、第２設定情報は取得部１０２が取得したイベントがないことを表す旨の情報である。
【００７２】
（２．４）情報端末
次に、本実施形態の情報端末３の構成について説明する。
【００７３】
情報端末３は、一例として表示部３１を備えるスマートフォンである。情報端末３は、図３に示すように、表示部３１の他、処理部３２と、通信部３３と、入力部３４と、記憶部３５とを備える。情報端末３は、ＣＰＵ及びメモリを有しており、ＣＰＵがメモリに格納されているプログラムを実行することにより、コンピュータを処理部３２として機能させる。プログラムは、ここではインターネット等の電気通信回線を通じて、あるいはメモリカード等の記録媒体に記録されて提供されるが、コンピュータのメモリに予め記録されていてもよい。
【００７４】
表示部３１は、例えば液晶ディスプレイや有機ＥＬ（electroluminescence）ディスプレイのような薄型のディスプレイ装置である。
【００７５】
処理部３２は、表示部３１を制御することにより、サーバ装置１の表示制御部１０４が作成した予測結果画面を表示部３１に表示する機能を持つ。つまり、情報端末３は、専用のアプリケーションソフトをインストールし、このアプリケーションソフトを起動することにより、表示部３１を制御するための処理部３２としての機能を実現する。
【００７６】
通信部３３は、ネットワーク４に接続されることで、情報端末３とサーバ装置１（表示制御システム１０）との間の通信を可能にする。ここでは、情報端末３はスマートフォンであるから、通信部３３は、通信事業者が提供する携帯電話網（キャリア網）を介して、例えばインターネットからなるネットワーク４に接続される。携帯電話網には、例えば３Ｇ（第３世代）回線、ＬＴＥ（Long Term Evolution）回線等がある。なお、通信部３３は、無線ＬＡＮ（Local Area Network）を介してネットワーク４に接続されてもよい。
【００７７】
入力部３４は、情報端末３の操作者の操作を受け付ける機能を有している。本実施形態では、情報端末３はタッチパネルディスプレイを搭載したスマートフォンであり、タッチパネルディスプレイが表示部３１及び入力部３４として機能する。そのため、以下の説明では、表示部３１に表示される画面上のボタンに対する種々のタッチ操作を、「タップ」等と表現する。ただし、入力部３４は、タッチパネルディスプレイに限らず、例えばキーボードやポインティングデバイス、メカニカルなスイッチ等であってもよい。
【００７８】
記憶部３５は、例えばフラッシュメモリ等の電気的に書換可能な不揮発性の半導体メモリで構成される。
【００７９】
情報端末３は、上記構成によりサーバ装置１で作成された予測結果画面（コンテンツ）を表示することができる。
【００８０】
なお、情報端末３がスマートフォンで構成されることは一例である。情報端末３は、携帯電話機、タブレット端末、パーソナルコンピュータ等で構成されてもよい。
【００８１】
（３）動作
以下、本実施形態に係る表示制御システム１０の動作について説明する。
【００８２】
本実施形態に係るプログラムは、情報端末３の表示部３１に、計測システム２０が計測した施設５における使用電力量を基に所定期間の電力需要の予測値を表示するためのプログラムである。つまり、本実施形態に係るプログラムは、サーバ装置１のコンピュータを、第１予測部１０１、取得部１０２、第２予測部１０３及び表示制御部１０４として機能させるためのプログラムである。
【００８３】
以下の説明では、情報端末３の操作者によって特定種別として平均気温が選択されたと仮定する。
【００８４】
第１予測部１０１は、平均気温のデフォルト値を第１設定情報として記憶部１３から取得する。第１予測部１０１は、所定期間に属する複数の所定の時間帯のそれぞれに対応する複数の学習モデルであって、平均気温と電力需要の関係を表す学習モデルを記憶部１３から取得する。第１予測部１０１は、所定期間に属する所定の時間帯ごとに、取得した複数の学習モデルのうち当該時間帯に対応する学習モデルを用いて第１設定情報（平均気温のデフォルト値）を入力値とし、出力値としての電力需要の第１予測値を算出する。第１予測部１０１は、算出した所定の時間帯ごとの第１予測値を表示制御部１０４に出力する。
【００８５】
取得部１０２は、平均気温のデフォルト値とは異なる値を第２設定情報として情報端末３から取得する。第２設定情報は、情報端末３の操作者が情報端末３を操作することで入力された平均気温の値である。
【００８６】
第２予測部１０３は、取得部１０２が取得した第２設定情報（平均気温の値）を受け取る。第２予測部１０３は、受け取った第２設定情報及び第１予測部１０１が取得した複数の学習モデルを用いて、電力需要の第２予測値を算出する。具体的には、第２予測部１０３は、所定期間に属する所定の時間帯ごとに、平均気温と電力需要の関係を表し、かつ当該時間帯に対応する学習モデルを用いて第２設定情報を入力値とし、出力値としての電力需要の第２予測値を算出する。
【００８７】
表示制御部１０４は、平均気温のデフォルト値に基づく所定の時間帯ごとの第１予測値、第１設定情報（平均気温のデフォルト値）、第２設定情報（平均気温の値）、及び第２設定情報に基づく所定の時間帯ごとの第２予測値を含む予測結果画面Ｇ１０を生成する。表示制御部１０４は、生成した予測結果画面Ｇ１０を、情報端末３の表示部３１に表示する。
【００８８】
（４）画面
ここでは、表示部３１で表示される予測結果画面Ｇ１０について説明する。なお、図３の参照符号及び領域を囲む一点鎖線は、説明のために記載しているのみであり、実際の予測結果画面には表示されない。以下、図５〜図７においても同様である。
【００８９】
ここでは、複数の特定種別のうち平均気温が特定種別として選択された場合の予測結果画面Ｇ１０について説明する。
【００９０】
予測結果画面Ｇ１０は、図３に示すように、第１表示領域Ｇ１１と第２表示領域Ｇ１２とを含んでいる。
【００９１】
第１表示領域Ｇ１１では、第１予測部１０１が算出した所定の時間帯ごとの第１予測値、及び第２予測部１０３が算出した所定の時間帯ごとの第２予測値のそれぞれが、横軸を時刻、縦軸を予測値とするグラフ形式で表示される。例えば、所定の時間帯ごとの第１予測値を線は、隣接する第１予測値を線で結んだ折れ線グラフＧ２０で第１表示領域Ｇ１１に表示される（図３参照）。また、所定の時間帯ごとの第２予測値は、隣接する第１予測値を線で結んだ折れ線グラフＧ２１で第１表示領域Ｇ１１に表示される（図３参照）。ここでは、図３では、複数の特定種別のうち平均気温が特定種別として選択されているので、折れ線グラフＧ２０は平均気温に基づいた第１予測値を表し、折れ線グラフＧ２１は平均気温に基づいた第２予測値を表す。さらに、第１予測値と第２予測値とを区別する必要があるため、第１予測値と、第２予測値とは異なる色で表示される。
【００９２】
第２表示領域Ｇ１２は、複数の特定種別の各々について  対応する特定種別の第１設定情報を表示する領域であり、かつ操作者の操作よって予め選択された特定種別に対して第２設定情報を受け付けるための領域である。
【００９３】
第２表示領域Ｇ１２は、図３に示すように、第１特定種別表示領域Ｇ３０、第２特定種別表示領域Ｇ３１、第３特定種別表示領域Ｇ３２、第４特定種別表示領域Ｇ３３及び第５特定種別表示領域Ｇ３４を含んでいる。
【００９４】
第１特定種別表示領域Ｇ３０では、平均気温のデフォルト値（第１設定情報）及び第２設定情報として受け付け可能な値の範囲が表示される。具体的には、第２設定情報として受け付け可能な値の範囲が線分Ｇ４０で表されている。当該線分Ｇ４０の両端の一端には第２設定情報として受け付け可能（設定可能）な値の最小値（ここでは、２０）が、他端には第２設定情報として受け付け可能な値の最大値（ここでは、４０）が、表示されている。また、線分Ｇ４０上において平均気温のデフォルト値（ここでは、２８）が位置する箇所に、当該デフォルト値及び当該デフォルト値が線分Ｇ４０での位置を表す円状の図形の組（表示組Ｇ５０）が表示される。
【００９５】
第２特定種別表示領域Ｇ３１では、合計日射量のデフォルト値（第１設定情報）及び第２設定情報として受け付け可能な値の範囲が表示される。具体的には、第２設定情報として受け付け可能（設定可能）な値の範囲が線分Ｇ４１で表されている。当該線分Ｇ４１の両端の一端には第２設定情報として受け付け可能な値の最小値（ここでは、０）が、他端には第２設定情報として受け付け可能な値の最大値（ここでは、５０００）が、表示されている。また、線分Ｇ４１上において合計日射量のデフォルト値（ここでは、２３５０）が位置する箇所に、当該デフォルト値及び当該デフォルト値が線分Ｇ４１での位置を表す円状の図形の組（表示組Ｇ５１）が表示される。
【００９６】
第３特定種別表示領域Ｇ３２では、利用者数のデフォルト値（第１設定情報）及び第２設定情報として受け付け可能（設定可能）な値の範囲が表示される。具体的には、第２設定情報として受け付け可能な値の範囲が線分Ｇ４２で表されている。当該線分Ｇ４２の両端の一端には第２設定情報として受け付け可能な値の最小値（ここでは、０）が、他端には第２設定情報として受け付け可能な値の最大値（ここでは、５００）が、表示されている。また、線分Ｇ４１上において利用者数のデフォルト値（ここでは、２３０）が位置する箇所に、当該デフォルト値及び当該デフォルト値が線分Ｇ４１での位置を表す円状の図形の組（表示組Ｇ５２）が表示される。
【００９７】
第４特定種別表示領域Ｇ３３では、休日に該当するか否かの情報のデフォルト情報（第１デフォルト情報）である第１設定情報及び第２設定情報として受け付け可能な情報が表示される。具体的には、第１デフォルト情報を表す情報と第２設定情報を表す旨の情報とが線分Ｇ４３で表されている。当該線分Ｇ４３の両端の一端には第１デフォルト情報を表す情報（ここでは、“非該当”）が表示されている。線分Ｇ４３の他端は、第２設定情報としての情報（ここでは、“該当”）が表示されている。また、線分Ｇ４３の一端において、第１デフォルト情報の位置を表す円状の図形Ｇ５３が表示される。
【００９８】
第５特定種別表示領域Ｇ３４では、イベントの有無の情報のデフォルト値（第２デフォルト値）である第１設定情報及び第２設定情報として受け付け可能な情報が表示される。具体的には、第２デフォルト情報を表す情報と第２設定情報を表す旨の情報とが線分Ｇ４４で表されている。当該線分Ｇ４４の両端の一端には第２デフォルト情報を表す情報（ここでは、“非該当”）が表示されている。線分Ｇ４４の他端は、第２設定情報としての情報（ここでは、“該当”）が表示されている。また、線分Ｇ４４の一端において、第２デフォルト情報の位置を表す円状の図形Ｇ５４が表示される。
【００９９】
また、本実施形態では、複数の特定種別から１つの特定種別が選択可能であるため、複数の特定種別のうちいれずれの特定種別が選択されているかを区別する必要がある。そこで、本実施形態では、各特定種別の第１設定情報の位置を表す円状の図形の色を、選択、非選択に応じて変更する。ここでは、平均気温が特定種別として選択されているので、表示組Ｇ５０に含まれる円状の図形の色が、他の円状の図形の色とは異なっている。なお、表示組Ｇ５０に含まれる円状の図形と、第１表示領域Ｇ１１における第１予測値とは同じ色である。これにより、第１表示領域Ｇ１１における第１予測値と、選択された特定種別の第１設定情報とを紐付けることができる。その結果、情報端末３の操作者は、選択した特定種別の第１設定情報に基づく折れ線グラフＧ２０を容易に認識することができる。
【０１００】
さらに、情報端末３のタッチパネルディスプレイが表示部３１及び入力部３４として機能するので、予測結果画面Ｇ１０に対して第２設定情報の入力が可能である。そこで、予測結果画面Ｇ１０では、第２設定情報の位置を表す円状の図形が表示される。
【０１０１】
例えば、平均気温が特定種別として選択される場合には、第２設定情報としての平均気温の値と及び当該値が線分Ｇ４０での位置を表す円状の図形の組（表示組Ｇ６０）が表示される（図３参照）。表示組Ｇ６０に含まれる円状の図形と、第１表示領域Ｇ１１における第２予測値とは同じ色である。これにより、第１表示領域Ｇ１１における第２予測値と、選択された特定種別の第２設定情報とを紐付けることができる。その結果、情報端末３の操作者は、選択した特定種別の第２設定情報に基づく折れ線グラフＧ２０を容易に認識することができる。さらに、表示組Ｇ５０に含まれる円状の図形と表示組Ｇ６０に含まれる円状の図形とは異なる色で表示されているので、操作者は、表示されている円状の図形が第１設定情報を表すのか、第２設定情報を表すのかを容易に区別することができる。
【０１０２】
なお、合計日射量が特定種別として選択される場合には、第２設定情報としての合計日射量の値と及び当該値が線分Ｇ４１での位置を表す円状の図形の組が表示される。利用者数が特定種別として選択される場合には、第２設定情報としての利用者数と及び当該値が線分Ｇ４２での位置を表す円状の図形の組が表示される。休日に該当するか否かの情報が特定種別として選択される場合には線分Ｇ４３の両端部のうち図形Ｇ５３が表示された端部とは異なる端部に、第２設定情報としての情報を表す円状の図形が表示される。イベントの有無の情報が特定種別として選択される場合には線分Ｇ４４の両端部のうち図形Ｇ５４が表示された端部とは異なる端部に、第２設定情報としての情報を表す円状の図形が表示される。
【０１０３】
第２設定情報の入力（設定）は、第１特定種別表示領域Ｇ３０〜第５特定種別表示領域Ｇ３４のうち、選択された特定種別に対応する特定種別表示領域で表示されている線分において第２設定情報として設定したい位置をタップする。
【０１０４】
または、選択された特定種別に対応する特定種別表示領域で表示された円状の図形を押して、押した指を右方向若しくは左方向に表示された線分に沿ってスライドさせて所望の位置で指を離すことで、第２設定情報が入力される。この場合、指を離した位置に応じた値（情報）が第２設定情報として受け付けられる。
【０１０５】
（５）変形例
以下に、変形例について列記する。なお、以下に説明する変形例は、上記実施形態と適宜組み合わせて適用可能である。
【０１０６】
（５．１）変形例１
表示制御システム１０（サーバ装置１）は、電力需要の予測値を表示部３１に表示させる際に、デマンド目標値及び電力需要のピークとなる条件（ピーク発生条件）を、更に表示させてもよい。
【０１０７】
この場合のサーバ装置１及び表示部３１に表示される予測結果画面Ｇ１００について説明する。なお、実施形態と同一の構成要素については、同一の符号を付与し、その説明を適宜省略する。
【０１０８】
本変形例のサーバ装置１の処理部１１は、図４に示すように、実施形態の構成の他、条件取得部１１０を備えている。
【０１０９】
本変形例のサーバ装置１の記憶部１３は、電力供給会社との間で予め設定されているデマンド値をデマンド目標値として、更に記憶している。
【０１１０】
条件取得部１１０は、特定種別ごとにピーク発生条件を取得する。具体的には、第１予測値を求める所定期間において、記憶部１３に記憶されているデマンド目標値以上となる予測値が発生する条件を、特定種別ごとに求める。
【０１１１】
例えば、情報端末３の操作者によって選択された特定種別が平均気温である場合は、条件取得部１１０は、所定期間に属する所定の時間帯ごとに、平均気温と電力需要の関係を表し、かつ当該時間帯に対応する学習モデルを用いて電力需要がデマンド目標値以上となる平均気温を求める。条件取得部１１０は、例えば季節が夏季である場合には、求めた平均気温のうち最小の平均気温を第１ピーク発生条件とする。なお、季節が冬季である場合には、条件取得部１１０は、求めた平均気温のうち最大の平均気温を第１ピーク発生条件とする。
【０１１２】
情報端末３の操作者によって選択された特定種別が合計日射量である場合は、条件取得部１１０は、所定期間に属する所定の時間帯ごとに、合計日射量と電力需要の関係を表し、かつ当該時間帯に対応する学習モデルを用いて電力需要がデマンド目標値以上となる合計日射量を求める。条件取得部１１０は、例えば季節が夏季である場合には、求めた合計日射量のうち最小の合計日射量を第２ピーク発生条件とする。なお、季節が冬季である場合には、条件取得部１１０は、求めた合計日射量のうち最大の合計日射量を第２ピーク発生条件とする。
【０１１３】
情報端末３の操作者によって選択された特定種別が利用者数である場合は、条件取得部１１０は、所定期間に属する所定の時間帯ごとに、利用者数と電力需要の関係を表し、かつ当該時間帯に対応する学習モデルを用いて電力需要がデマンド目標値以上となる利用者数を求める。条件取得部１１０は、求めた利用者数のうち最小の利用者数を第３ピーク発生条件とする。
【０１１４】
情報端末３の操作者によって選択された特定種別が休日に該当するか否かの情報である場合は、休日に該当しないことを第４ピーク発生条件とする。なぜなら、休日である場合よりも休日でない（平日である）場合の方が電力需要は大きいからである。
【０１１５】
情報端末３の操作者によって選択された特定種別がイベントの有無の情報である場合は、イベントがあることを第５ピーク発生条件とする。なぜなら、イベントがある場合には、イベントに使用する機器等が必要となり、イベントがない場合と比較して電力需要は大きいからである。
【０１１６】
本変形例の表示制御部１０４は、情報端末３からの要求に応じて、予測結果画面Ｇ１００（図５参照）を生成する。予測結果画面Ｇ１００は、第１設定情報に基づく所定期間における電力需要の第１予測値と、第１設定情報と、第２設定情報と、第２設定情報に基づく所定期間における電力需要の第２予測値と、デマンド目標値と、第１ピーク発生条件〜第５ピーク発生条件と、を含む。表示制御部１０４は、生成した予測結果画面Ｇ１００を表示部３１に表示させる。
【０１１７】
次に、本変形例において表示部３１で表示される予測結果画面Ｇ１００について説明する。なお、本変形例で示す予測結果画面Ｇ１００は、季節が夏季であることを前提としている。
【０１１８】
第１表示領域Ｇ１１では、折れ線グラフＧ２０，Ｇ２１の他、デマンド目標値を表す直線グラフＧ２５が表示される（図５参照）。
【０１１９】
第２表示領域Ｇ１２では、第１ピーク発生条件〜第５ピーク発生条件に係る情報が表示される。
【０１２０】
具体的には、第１特定種別表示領域Ｇ３０では、線分Ｇ４０において第１ピーク発生条件である平均気温の値に対応する位置に、第１ピーク発生条件である旨を表す記号（ここでは、線分Ｇ４０に直交する線分Ｇ７０）が表示される。
【０１２１】
第２特定種別表示領域Ｇ３１では、線分Ｇ４１において第２ピーク発生条件である合計日射量の値に対応する位置に、第２ピーク発生条件である旨を表す記号（ここでは、線分Ｇ４１に直交する線分Ｇ７１）が表示される。
【０１２２】
第３特定種別表示領域Ｇ３２では、線分Ｇ４２において第３ピーク発生条件である利用者数に対応する位置に、第３ピーク発生条件である旨を表す記号（ここでは、線分Ｇ４２に直交する線分Ｇ７２）が表示される。
【０１２３】
第４特定種別表示領域Ｇ３３では、線分Ｇ４３において第４ピーク発生条件である休日に該当しないことに対応する位置に、第４ピーク発生条件である旨を表す記号（ここでは、線分Ｇ４３に直交する線分Ｇ７３）が表示される。
【０１２４】
第５特定種別表示領域Ｇ３４はでは、線分Ｇ４４において第５ピーク発生条件であるイベントがあることに対応する位置に、第５ピーク発生条件である旨を表す記号（ここでは、線分Ｇ４４に直交する線分Ｇ７４）が表示される。
【０１２５】
なお、図５で示す予測結果画面Ｇ１００は、平均気温を特定種別とした場合において、第２設定情報を第１ピーク条件である平均気温の値としたときの結果を表している。
【０１２６】
また、予測結果画面Ｇ１００では、直線グラフＧ２５はデマンド目標値を表す構成としたが、この構成に限定されない。直線グラフＧ２５は、過去の電力需要におけるピーク電力値を表してもよい。また、直線グラフＧ２５は、予測結果画面Ｇ１０で表示されてもよい。
【０１２７】
（５．２）変形例２
実施形態で説明した平均気温、合計日射量、利用者数等のように値が変化する特定種別について、第２設定情報として受け付け可能な値の範囲として表示される最小値及び最大値は、過去の実績よって定められてもよい。
【０１２８】
例えば、処理部１１（例えば、表示制御部１０４）は、記憶部１３が記憶する複数の計測値にそれぞれ対応する複数の情報（平均気温、合計日射量又は利用者数）から、過去の所定期間（例えば、１年間）での当該情報に対する最小値及び最大値を抽出する。表示制御部１０４は、抽出した最小値及び最大値を、第２設定情報として受け付け可能な値の範囲として表示される最小値及び最大値として、表示部３１に表示させる。
【０１２９】
平均気温について第２設定情報として受け付け可能な値の範囲を表示する際には、表示制御部１０４は、過去１年間の計測値にそれぞれ対応する平均気温から、平均気温に対する最小値として値“２０”及び最大値として値“４０”を抽出する。表示制御部１０４は、抽出した最小値“２０”及び最大値“４０”を、第２設定情報として受け付け可能な値の範囲として表示される最小値及び最大値として、表示部３１に表示させる（図３参照）。
【０１３０】
または、第２設定情報として受け付け可能な値の範囲として表示される最小値及び最大値は、デフォルト値として取得した値の精度に応じて決定される値であってもよい。
【０１３１】
例えば、処理部１１（例えば、表示制御部１０４）は、外部の装置から取得した予報値又は利用者予想値の誤差に基づいて、第２設定情報として受け付け可能な値の範囲として表示される最小値及び最大値を決定する。表示制御部１０４は、決定した最小値及び最大値を、第２設定情報として受け付け可能な値の範囲として表示される最小値及び最大値として、表示部３１に表示させる。
【０１３２】
表示制御部１０４は、外部の装置から取得した予報値又は利用者予想値のばらつきが所定の割合に収まる下限値を最小値とし、予報値又は利用者予想値のばらつきが所定の割合に収まる上限値を最大値として求める。表示制御部１０４は、求めた最小値及び最大値を、第２設定情報として受け付け可能な値の範囲として表示される最小値及び最大値として、表示部３１に表示させる。
【０１３３】
例えば、平均気温について第２設定情報として受け付け可能な値の範囲を表示する際には、平均気温の予報値のばらつきが所定の割合に収まる下限値（例えば、値“２３”）を最小値として、上限値（例えば、値“３３”）を最大値として抽出する。
【０１３４】
表示制御部１０４は、求めた最小値“２３”及び最大値“３３”を、第２設定情報として受け付け可能な値の範囲として表示される最小値及び最大値として、表示部３１に表示させる。具体的には、第２設定情報として受け付け可能な値の範囲を表す線分Ｇ４０の両端の一端には最小値（ここでは、２３）が、他端には最大値（ここでは、３３）が、表示される（図６参照）。
【０１３５】
（５．３）変形例３
表示制御部１０４は、表示部３１に予測結果画面Ｇ１０を表示させる場合、平均気温、合計日射量、利用者数等の値が変化する特定種別について、第２設定情報として受け付け可能な値の範囲を表示する際にデマンド目標値との関係を表示してもよい。言い換えると、表示制御部１０４は、第２設定情報として設定される設定内容の範囲のうち、デマンド目標値に対して表示対象である第２予測値が所定の割合となる設定内容の位置に当該割合を表す割合情報を、予測結果画面Ｇ１０に含めて表示部３１に表示させてもよい。
【０１３６】
例えば、表示制御部１０４は、第２設定情報として受け付け可能な値の範囲を表す線分において、デマンド目標値に対して所定の割合となる最大予測値を含む折れ線グラフに応じた第２設定情報の位置を特定する記号を、表示部３１に表示してもよい。ここで、デマンド目標値に対して所定の割合となる最大予測値とは、第1表示領域Ｇ１１で表示される複数の第２予測値のうち、デマンド目標値に対して所定の割合となる最大の第２予測値である。
【０１３７】
本変形例の具体例として、複数の特定種別のうち平均気温が特定種別として選択された場合について、以下説明する。
【０１３８】
表示制御部１０４は、線分Ｇ４０において、デマンド目標値に対して複数の割合のそれぞれについて、対応する最大予測値を含む折れ線グラフに応じた第２設定情報の位置を特定する記号が存在する位置を特定する記号（割合情報）を、表示部３１に表示させる。ここで、複数の割合は、例えば、６０％、７０％、８０％、９０％及び１００％を含む。
【０１３９】
具体的には、表示制御部１０４は、線分Ｇ４０において、デマンド目標値に対して６０％となる最大予測値を含む折れ線グラフに応じた第２設定情報の位置に線分Ｇ４０に直交する線分Ｇ８０（割合情報）を、表示部３１に表示させる（図７参照）。表示制御部１０４は、線分Ｇ４０において、デマンド目標値に対して７０％となる最大予測値を含む折れ線グラフに応じた第２設定情報の位置に線分Ｇ４０に直交する線分Ｇ８１（割合情報）を、表示部３１に表示させる。表示制御部１０４は、線分Ｇ４０において、８０％となる最大予測値を含む折れ線グラフに応じた第２設定情報の位置に線分Ｇ４０に直交する線分Ｇ８２（割合情報）を、表示部３１に表示させる。表示制御部１０４は、線分Ｇ４０において、デマンド目標値に対して９０％となる最大予測値を含む折れ線グラフに応じた第２設定情報の位置に線分Ｇ４０に直交する線分Ｇ８３（割合情報）を、表示部３１に表示させる。さらに、表示制御部１０４は、１００％となる最大予測値（つまり、デマンド目標値に相当する第２予測値）を含む折れ線グラフに応じた第２設定情報の位置に線分Ｇ４０に直交する線分Ｇ８４（割合情報）を、表示部３１に表示させる。
【０１４０】
なお、表示制御部１０４は、第２設定情報として受け付け可能な値の範囲を表す線分において、過去の電力需要におけるピーク電力値に対して所定の割合となる最大予測値が存在する位置を特定する記号を、表示部３１に表示してもよい。
【０１４１】
（５．４）その他の変形例
上記実施形態では、第１予測値及び第２予測値は、サーバ装置１が行う構成としたが、この構成に限定されない。第１予測値及び第２予測値は、サーバ装置１以外の装置、例えば、情報端末３が行う構成であってもよい。
【０１４２】
また、上記実施形態では、サーバ装置１と蓄積サーバ２とは、異なる装置とする構成としたが、この構成に限定されない。サーバ装置１と蓄積サーバ２とは、同一の装置であってもよい。
【０１４３】
また、上記実施形態では、予報値及び利用者予想値は、サーバ装置１が定期的に取得する構成としたが、この構成に限定されない。予測結果画面Ｇ１０（Ｇ１００）を表示するタイミングで、予報値及び利用者予想値を取得してもよい。
【０１４４】
また、上記実施形態では、平均気温、合計日射量、利用者数等のように値が変化する特定種別について、表示対象となる所定期間に対して１つのデフォルト値を割り当てる構成としたが、この構成に限定されない。値が変化する特定種別について、所定期間を複数の期間に分割し、分割した期間（例えば、１時間）ごとにデフォルト値を割り当ててもよい。
【０１４５】
例えば、分割した期間（１時間）ごとに、当該期間で予想される気温を割り当ててもよい。この場合、第１予測部１０１は、分割した期間ごとに、当該期間に属する所定時間帯の各々について割り当てられた第１設定情報としての気温を用いて第１予測値を算出する。取得部１０２は、分割した期間ごとに第２設定情報を取得することが可能に構成されている。第２予測部１０３は、分割された複数の期間のうち第２設定情報を取得した１つ以上の期間について当該期間に対応する第２設定情報としての気温に基づいて第２予測値を算出する。また、予測結果画面Ｇ１０（Ｇ１００）において、第１特定種別表示領域Ｇ３０では、複数の期間に対してそれぞれ割り当てられた複数のデフォルト値それぞれについて第２設定情報として受け付け可能な値の範囲を表す線分が表示される。各線分には、対応するデフォルト値とその位置を表す円状の図形との組が表示される。さらには、各線分の両端のうちの一端には第２設定情報として受け付け可能な値の範囲の最小値、他端には第２設定情報として受け付け可能な値の範囲の最小値が表示される。これにより、分割された期間ごとに、第２設定情報として当該期間に応じた気温の値を割り当てることができる。
【０１４６】
また、分割した期間（１時間）ごとに、当該期間で予想される合計日射量を割り当ててもよい。第１予測部１０１は、分割した期間ごとに、当該期間に属する所定時間帯の各々について割り当てられた第１設定情報としての合計日射量を用いて第１予測値を算出する。第２予測部１０３は、分割された複数の期間のうち第２設定情報を取得した１つ以上の期間について当該期間に対応する第２設定情報としての合計日射量に基づいて第２予測値を算出する。予測結果画面Ｇ１０（Ｇ１００）において、第２特定種別表示領域Ｇ３１では、複数の期間に対してそれぞれ割り当てられた複数のデフォルト値それぞれについて第２設定情報として受け付け可能な値の範囲を表す線分が表示される。各線分には、対応するデフォルト値とその位置を表す円状の図形との組が表示される。さらには、各線分の両端のうちの一端には第２設定情報として受け付け可能な値の範囲の最小値、他端には第２設定情報として受け付け可能な値の範囲の最小値が表示される。これにより、分割された期間ごとに、第２設定情報として当該期間に応じた合計日射量を割り当てることができる。
【０１４７】
また、分割した期間（１時間）ごとに、当該期間で予想される利用者数を割り当ててもよい。第１予測部１０１は、分割した期間ごとに、当該期間に属する所定時間帯の各々について割り当てられた第１設定情報としての利用者数を用いて第１予測値を算出する。第２予測部１０３は、分割された複数の期間のうち第２設定情報を取得した１つ以上の期間について当該期間に対応する第２設定情報としての利用者数に基づいて第２予測値を算出する。予測結果画面Ｇ１０（Ｇ１００）において、第３特定種別表示領域Ｇ３２では、複数の期間に対してそれぞれ割り当てられた複数のデフォルト値それぞれについて第２設定情報として受け付け可能な値の範囲を表す線分が表示される。各線分には、対応するデフォルト値とその位置を表す円状の図形との組が表示される。さらには、各線分の両端のうちの一端には第２設定情報として受け付け可能な値の範囲の最小値、他端には第２設定情報として受け付け可能な値の範囲の最小値が表示される。これにより、分割された期間ごとに、第２設定情報として当該期間に応じた利用者数を割り当てることができる。
【０１４８】
また、上記実施形態では、サーバ装置１は、複数の特定種別のうち１つの特定種別に対して第１予測値及び第２予測値を算出する構成としたが、この構成に限定されない。サーバ装置１は、２つ以上の特定種別を組み合わせて第１予測値及び第２予測値を算出してもよい。この場合、サーバ装置１の第１予測部１０１は、所定の時間帯ごとに、２つ以上の特定種別のそれぞれについて当該特定種別の第１設定情報に対する予測値を算出する。第１予測部１０１は、所定の時間帯ごとに、当該所定の時間帯に対応する各特定種別の第１設定情報に対する予測値の平均値を算出し、算出結果を表示対象である第１予測値とする。第２予測部１０３は、所定の時間帯ごとに、２つ以上の特定種別のそれぞれについて当該特定種別の第２設定情報に対する予測値を算出する。第２予測部１０３は、所定の時間帯ごとに、当該所定の時間帯に対応する各特定種別の第２設定情報に対する予測値の平均値を算出し、算出結果を表示対象である第２予測値とする。
【０１４９】
例えば、第１予測部１０１は、所定の時間帯ごとに、平均気温及び合計日射量のそれぞれについて第１設定情報に対する予測値を算出する。第１予測部１０１は、所定の時間帯ごとに、当該所定の時間帯での平均気温の第１設定情報に対する予測値と合計日射量の第１設定情報に対する予測値との平均値を算出する。第１予測部１０１は、算出した平均値を第１予測値とする。第２予測部１０３は、所定の時間帯ごとに、平均気温及び合計日射量のそれぞれについて第２設定情報に対する予測値を算出する。第２予測部１０３は、所定の時間帯ごとに、当該所定の時間帯での平均気温の第２設定情報に対する予測値と合計日射量の第２設定情報に対する予測値との平均値を算出する。第２予測部１０３は、算出した平均値を第２予測値とする。
【０１５０】
なお、この場合における第１予測値は、２つ以上の特定種別のそれぞれについての第１設定情報に対する予測値の平均値とする代わりに、２つ以上の特定種別のそれぞれについての第１設定情報に対する予測値の最大値、最小値、又は中間値としてもよい。同様に、第２予測値は、２つ以上の特定種別のそれぞれについての第２設定情報に対する予測値の平均値とする代わりに、２つ以上の特定種別のそれぞれについての第２設定情報に対する予測値の最大値、最小値、又は中間値としてもよい。
【０１５１】
また、上記実施形態において、表示制御システム１０が設けられる施設５は、電力の供給を受けるビル等の施設、いわゆる非住宅であるとしたが、これに限定されない。表示制御システム１０が設けられる施設５は、戸建の住宅、共同住宅であってもよい。
【０１５２】
（変形例）
上記実施形態は、本開示の様々な実施形態の一つに過ぎない。上記実施形態は、本開示の目的を達成できれば、設計等に応じて種々の変更が可能である。また、表示制御システム１０（サーバ装置１）と同様の機能は、処理方法、コンピュータプログラム、又はプログラムを記録した記録媒体等で具現化されてもよい。一態様に係る表示制御システム１０の表示方法は、情報端末３が有する表示部３１に情報を表示する方法である。表示方法は、第１予測値と、第１設定情報と、第２設定情報と、第２予測値とを、含む予測結果画面Ｇ１０（Ｇ１００）を表示部３１に表示させる表示ステップを含む。第１設定情報は、施設５における電力需要の予測に用いる特定種別に応じた情報である。第１予測値は、第１設定情報と過去の電力需要とを用いて得られた、第１設定情報に基づく所定期間における電力需要の値である。第２設定情報は、情報端末３の操作者によって入力された情報であって特定種別に対する第１設定情報とは異なる情報である。第２予測値は、第２設定情報に基づく所定期間における電力需要の値である。一態様に係るプログラムは、コンピュータシステムを、上述した表示制御システム１０の表示方法として機能させるためのプログラムである。
【０１５３】
本開示における表示制御システム１０は、コンピュータシステムを含んでいる。コンピュータシステムは、ハードウェアとしてのプロセッサ及びメモリを主構成とする。コンピュータシステムのメモリに記録されたプログラムをプロセッサが実行することによって、本開示における表示制御システム１０としての機能が実現される。プログラムは、コンピュータシステムのメモリに予め記録されてもよく、電気通信回線を通じて提供されてもよく、コンピュータシステムで読み取り可能なメモリカード、光学ディスク、ハードディスクドライブ等の非一時的記録媒体に記録されて提供されてもよい。コンピュータシステムのプロセッサは、半導体集積回路（ＩＣ）又は大規模集積回路（ＬＳＩ）を含む１ないし複数の電子回路で構成される。ここでいうＩＣ又はＬＳＩ等の集積回路は、集積の度合いによって呼び方が異なっており、システムＬＳＩ、ＶＬＳＩ（Very Large Scale Integration）、又はＵＬＳＩ（Ultra Large Scale Integration）と呼ばれる集積回路を含む。さらに、ＬＳＩの製造後にプログラムされる、ＦＰＧＡ（Field-Programmable Gate Array）、又はＬＳＩ内部の接合関係の再構成若しくはＬＳＩ内部の回路区画の再構成が可能な論理デバイスについても、プロセッサとして採用することができる。複数の電子回路は、１つのチップに集約されていてもよいし、複数のチップに分散して設けられていてもよい。複数のチップは、１つの装置に集約されていてもよいし、複数の装置に分散して設けられていてもよい。ここでいうコンピュータシステムは、１以上のプロセッサ及び１以上のメモリを有するマイクロコントローラを含む。したがって、マイクロコントローラについても、半導体集積回路又は大規模集積回路を含む１ないし複数の電子回路で構成される。
【０１５４】
また、表示制御システム１０における複数の機能が、１つの筐体内に集約されていることは表示制御システム１０に必須の構成ではなく、表示制御システム１０の構成要素は、複数の筐体に分散して設けられていてもよい。さらに、表示制御システム１０の少なくとも一部の機能、例えば、サーバ装置１の一部の機能がクラウド（クラウドコンピューティング）等によって実現されてもよい。
【０１５５】
反対に、実施形態において、複数の装置に分散されている表示制御システム１０の少なくとも一部の機能が、１つの筐体内に集約されていてもよい。例えば、サーバ装置１と情報端末３とに分散されている表示制御システム１０の一部の機能が、１つの筐体内に集約されていてもよい。
【０１５６】
（まとめ）
以上説明したように、第１の態様の表示方法は、情報端末（３）が有する表示部（３１）に情報を表示する方法である。表示方法は、第１予測値と、第１設定情報と、第２設定情報と、第２予測値と、を含む予測結果画面（Ｇ１０，Ｇ１００）を表示部（３１）に表示させる表示ステップを含む。第１設定情報は、施設（５）における電力需要の予測に用いるパラメータ（特定種別）に応じた情報（例えば、デフォルト値）である。第１予測値は、第１設定情報と過去の電力需要とを用いて得られた、所定期間における電力需要の値である。第２設定情報は、情報端末（３）の操作者によって設定された情報であってパラメータに対する第１設定情報とは異なる情報である。第２予測値は、第２設定情報に基づく所定期間における電力需要の値である。
【０１５７】
この表示方法によると、第１設定情報に基づいて予測した第１予測値と、第１設定情報に対して変更された第２設定情報に基づいて予測された第２予測値とを表示するので、予測値に対する変化前後の状態を知ることができる。つまり、この表示方法によると、予測した予測値に対して変更がされた場合であっても、予測値の変化前の状態及び変化後の状態を知ることができる。さらに、第１設定情報に誤差等が生じている場合には第２設定情報を操作者が設定することで、誤差を考慮した電力需要を予測することができる。つまり、精度の高い電力需要を予測することができる。さらに、第１設定情報及び第２設定情報をも表示するので、ユーザは、予測に用いる情報と予測結果との因果関係を容易に把握することができる。
【０１５８】
第２の態様の表示方法では、第１の態様において、第１設定情報は、所定期間に含まれる複数の時間帯のそれぞれに対して設定されている。第２設定情報は、操作者によって複数の時間帯のうち少なくとも１つの時間帯に対して設定された情報である。
【０１５９】
この表示方法によると、複数の時間帯のそれぞれに対して第１設定情報が設定されるので、電力需要の予測をより高い精度で行うことができる。
【０１６０】
第３の態様の表示方法では、第１又は第２の態様において、表示ステップは、電力需要がピークとなるパラメータについての条件を表す条件情報を、予測結果画面（Ｇ１００）に含めて前記表示部に表示させる。
【０１６１】
この表示方法によると、電力ピークが発生する条件を把握することができる。その結果、電力ピーク発生のリスクをより正確に評価することができる。
【０１６２】
第４の態様の表示方法では、第１〜第３のいずれかの態様において、第１予測値と第２予測値とはグラフ形式で表示されている。表示ステップは、第１予測値と第２予測値とをグラフ形式で表示する表示領域（第１表示領域Ｇ１１）において、パラメータに対して予め設定されたデマンド目標値又は過去の電力需要におけるピーク電力値を、予測結果画面（Ｇ１０，Ｇ１００）に含めて表示部（３１）に表示させる。
【０１６３】
この表示方法によると、デマンド目標値又は過去の電力需要におけるピーク電力値と、予測結果との比較を容易に行うことができる。
【０１６４】
第５の態様の表示方法では、第１〜第４のいずれかの態様において、表示ステップは、第２設定情報として設定される設定内容の範囲を、予測結果画面（Ｇ１０，Ｇ１００）に含めて表示部（３１）に表示させる。
【０１６５】
この表示方法によると、第２設定情報として設定される設定内容の範囲を制限することができる。
【０１６６】
第６の態様の表示方法では、第５の態様において、第２設定情報として設定される設定内容の範囲は、パラメータに対する過去の実績によって、又は第１設定情報の設定内容によって定まる。
【０１６７】
この表示方法によると、パラメータに対する過去の実績によって、又は第１設定情報の設定内容によって第２設定情報として設定される設定内容の範囲は定まるので、非現実な入力を防ぐことができる。
【０１６８】
第７の態様の表示方法では、第５又は第６の態様において、第１設定情報は、第２設定情報として設定される設定内容の範囲内に表示されている。表示ステップは、第２設定情報として設定される設定内容の範囲のうち、パラメータに対して予め設定されたデマンド目標値又は過去の電力需要におけるピーク電力値に対して第２予測値が所定の割合となる設定内容の位置に当該割合を示す割合情報を、予測結果画面（Ｇ１０，Ｇ１００）に含めて表示部（３１）に表示させる。
【０１６９】
この表示方法によると、割合情報を表示することで、ユーザは、デマンド目標値又は過去の電力需要におけるピーク電力値に対する第２予測値の割合との関係を知ることができる。ここで、割合情報は、複数の第２予測値のうち、デマンド目標値に対して所定の割合となる最大の第２予測値が存在する位置を特定する記号である。例えば、割合情報は、図７で示す線分（Ｇ８０，Ｇ８１，Ｇ８２，Ｇ８３，Ｇ８４）に相当する。
【０１７０】
第８の態様の表示方法では、第１〜第７のいずれかの態様において、パラメータは複数存在する。第１予測値は、複数のパラメータのうち操作者によって選択されたパラメータの第１設定情報に基づいている。表示ステップは、複数のパラメータごとに第１設定情報を、表示部（３１）に表示させる。
【０１７１】
この表示方法によると、複数のパラメータのうち、操作者が知りたいパラメータに対応する予測結果を表示することができる。
【０１７２】
第９の態様のプログラムは、コンピュータに、第１〜第８のいずれかの態様の表示方法を、実行させるためのプログラムである。
【０１７３】
このプログラムによると、予測した予測値に対して変更がされた場合であっても、予測値の変化前の状態及び変化後の状態を知ることができる。さらに、第２設定情報は操作者によって入力された情報であるので、第１設定情報に誤差等が生じている場合には第２設定情報を操作者が設定することで、誤差を考慮した電力需要を予測することができる。つまり、精度の高い電力需要を予測することができる。さらに、第１設定情報及び第２設定情報をも表示するので、ユーザは、予測に用いる情報と予測結果との因果関係を容易に把握することができる。
【０１７４】
第１０の態様の表示制御システム（１０）は、情報端末（３）が有する表示部（３１）に情報を表示する。表示制御システム（１０）は、第１予測部（１０１）と、取得部（１０２）と、第２予測部（１０３）と、表示制御部（１０４）とを備える。第１予測部（１０１）は、施設（５）における電力需要の予測に用いるパラメータに応じた第１設定情報と過去の電力需要とを用いて、所定期間における電力需要の第１予測値を求める。取得部（１０２）は、情報端末（３）の操作者によって設定された情報であってパラメータに対する第１設定情報とは異なる第２設定情報を取得する。第２予測部（１０３）は、第２設定情報に基づいて所定期間における電力需要の第２予測値を求める。表示制御部（１０４）は、第１予測値と、第２予測値と、第１設定情報と、第２設定情報とを含む予測結果画面（Ｇ１０，Ｇ１００）を表示部（３１）に表示させる。
【０１７５】
この構成によると、予測した予測値に対して変更がされた場合であっても、予測値の変化前の状態及び変化後の状態を知ることができる。さらに、第１設定情報に誤差等が生じている場合には第２設定情報を操作者が設定することで、誤差を考慮した電力需要を予測することができる。つまり、精度の高い電力需要を予測することができる。さらに、第１設定情報及び第２設定情報をも表示するので、ユーザは、予測に用いる情報と予測結果との因果関係を容易に把握することができる。
【符号の説明】
【０１７６】
１    サーバ装置
３    情報端末
５    施設
１０    表示制御システム
３１    表示部
１０１    第１予測部
１０２    取得部
１０３    第２予測部
１０４    表示制御部
Ｇ１０，Ｇ１００    予測結果画面
Ｇ２０，Ｇ２１    折れ線グラフＧ
Ｇ８０〜Ｇ８４    線分（割合情報）
【図１】
2020035110.tif 000003
【図２】
2020035110.tif 000004
【図３】
2020035110.tif 000005
【図４】
2020035110.tif 000006
【図５】
2020035110.tif 000007
【図６】
2020035110.tif 000008
【図７】
2020035110.tif 000009